(57)【要約】【課題】箸袋本体内に挿入できる幅をもった短冊状紙片の一端部に膨出部を形成し、当該膨出部を箸袋本体の開口部から目立つように突出させ、短冊状紙片に表示した各種情報に対するアクセス率を向上させ得る箸袋に挿着する情報媒体を提供する。【解決手段】短冊状紙片１の一端部に箸袋本体３の開口部５に係合し得る程度の大きさをもった膨出部２を形成する。当該短冊状紙片１の表裏両面あるいは少なくとも表裏いずれか一方の面に、各種情報を印刷表示する。膨出部２には注意を喚起できる任意の表示をなし、短冊状紙片１を、その膨出部２が箸袋本体３の開口部５から突出するようにして箸６と一緒に箸袋本体内３に挿着するようにした。【選択図】図１
0003169023.tif 000002
【実用新案登録請求の範囲】
【請求項１】
一端を開口部とした箸袋本体内に挿入できる幅をもった短冊状紙片の一端部に箸袋本体の開口部に係合し得る程度の大きさをもった膨出部を形成し、当該短冊状紙片の表裏両面あるいは少なくとも表裏いずれか一方の面に、商品あるいはサービスについての宣伝広告や運勢・占い・ＱＲコードのような各種情報を印刷表示すると共に、前記膨出部には注意を喚起できる任意の表示をなし、前記短冊状紙片を、その膨出部が箸袋本体の開口部から突出するようにして箸と一緒に箸袋本体内に挿着するようにしたことを特徴とする箸袋に挿着する情報媒体。
【請求項２】
箸袋を利用した短冊状紙片からなる情報媒体において、当該短冊状紙片は箸袋本体内に挿入できる幅を有すると共に、その長手方向長さを、箸袋本体内の底部にまで挿着したとき、その上端部が箸袋の開口部から少し突出する程度に形成すると共に、当該短冊状紙片の上端部に膨出部を形成し、当該膨出部に注意を喚起できる任意の表示をなし、且つ前記短冊状紙片の表裏両面あるいは少なくとも表裏いずれか一方の面に、商品あるいはサービスについての宣伝広告や運勢・占い・ＱＲコードのような各種情報を印刷表示し、当該短冊状紙片を、その膨出部が箸袋本体の開口部から突出するようにして箸と一緒に箸袋本体内に挿着するようにしたことを特徴とする箸袋に挿着する情報媒体。
【請求項３】
短冊状紙片が二つ折り状態または三つ折り状態となっていることを特徴とする請求項１または２に記載の箸袋に挿着する情報媒体。
【考案の詳細な説明】
【技術分野】
【０００１】  本考案は、割り箸等を入れる箸袋を利用した箸袋に挿着する情報媒体に関するものである。
【背景技術】
【０００２】  居酒屋やレストラン等の各種飲食店においては、店内での飲食の際に、一般に割り箸が提供されるが、この割り箸は衛生上の観点から通常箸袋に入れた状態で供されている。また、コンビニエンスストア等における持ち帰り弁当等の販売に際しても通常箸袋入りの割り箸が提供されている。【０００３】  ところで、これまでの業務用の箸袋のほとんどは、その表面側に当該飲食店の店名等が印刷され、店名以外の各種情報は箸袋の裏面に印刷されることが多かった。また、箸袋は一般に纏まった数量を一度に印刷発注することが多く、期間限定の広告情報を掲載するには甚だ不向きであった。【０００４】  上記した従来の箸袋における情報表示はきわめてありふれており、また定型的なものであるため、消費者の注目を惹くことが少ないものであった。そのため、単純な箸袋に意外性をもたせるため、これまでに種々の提案がなされている。【０００５】  たとえば、下記の特許文献１には、箸袋の外面または内面に、広告、謎・占い・ゲームなどを印刷表示することが開示されている。また、特許文献２には、割り箸袋の片面あるいは両面に、商品またはサービスの特徴、広告発注者の名称、住所、電話番号、メールアドレス、地図、写真等を表示することが開示されている。【０００６】  前記した占いなどを印刷表示した箸袋の場合、箸を取り出した後、箸袋を展開させて初めて表示内容を知ることになるため、いわゆるおみくじを開けるときのような楽しみが得られる。
【先行技術文献】
【特許文献】
【０００７】
【特許文献１】特開２００９−２５８５７３号公報
【特許文献２】特開２０１０−２３０６９６号公報
【考案の概要】
【考案が解決しようとする課題】
【０００８】  上記したように、箸袋の内表面や外表面を利用して各種情報を表示し、消費者の注意を惹くようにすることは既に知られている。【０００９】  しかしながら、上記した内表面、あるいは外表面に宣伝広告やくじ等の情報を表示した箸袋は、多くの場合、中の箸を取り出した後に箸袋を展開しなければならず、面倒であるため、展開されずに飲食後そのまま廃棄されることが多かった。【００１０】  そこで、本考案は箸袋本体内に挿入できる幅をもった短冊状紙片の一端部に人気キャラクター等任意形状の膨出部を形成して、当該膨出部を箸袋本体の開口部から目立つように突出させ、短冊状紙片に印刷表示した広告、店舗案内、クーポン券、景品と交換可能な当たりくじやＱＲコード等各種情報にアクセスし易くした箸袋に挿着する情報媒体を提供することを目的とするものである。
【課題を解決するための手段】
【００１１】  上記課題を解決するための本考案の構成を詳述すれば、請求項１に係る考案は、一端を開口部とした箸袋本体内に挿入できる幅をもった短冊状紙片の一端部に箸袋本体の開口部に係合し得る程度の大きさをもった膨出部を形成し、当該短冊状紙片の表裏両面あるいは少なくとも表裏いずれか一方の面に、商品あるいはサービスについての宣伝広告や運勢・占い・ＱＲコードのような各種情報を印刷表示すると共に、前記膨出部には注意を喚起できる任意の表示をなし、前記短冊状紙片を、その膨出部が箸袋本体の開口部から突出するようにして箸と一緒に箸袋本体内に挿着するようにしたことを特徴とする箸袋に挿着する情報媒体である。【００１２】  また、請求項２に係る考案は、箸袋を利用した短冊状紙片からなる情報媒体において、当該短冊状紙片は箸袋本体内に挿入できる幅を有すると共に、その長手方向長さを、箸袋本体内の底部にまで挿着したとき、その上端部が箸袋の開口部から少し突出する程度に形成すると共に、当該短冊状紙片の上端部に膨出部を形成し、当該膨出部に注意を喚起できる任意の表示をなし、且つ前記短冊状紙片の表裏両面あるいは少なくとも表裏いずれか一方の面に、商品あるいはサービスについての宣伝広告や運勢・占い・ＱＲコードのような各種情報を印刷表示し、当該短冊状紙片を、その膨出部が箸袋本体の開口部から突出するようにして箸と一緒に箸袋本体内に挿着するようにしたことを特徴とする箸袋に挿着する情報媒体である。【００１３】  さらに、請求項３に係る考案は、短冊状紙片が二つ折り状態または三つ折り状態となっていることを特徴とする請求項１または２に記載の箸袋に挿着する情報媒体である。
【考案の効果】
【００１４】  本考案によれば、消費者の興味を惹く各種情報は箸袋とは別体の短冊状紙片に表示されるものであるから、これまでのように箸袋を展開させる必要がないと共に、季節に応じた期間限定情報等を顧客に容易に伝達することが可能となる。【００１５】  また、短冊状紙片の一端部に人気キャラクター等を模した任意形状の膨出部を突成し、且つ当該膨出部に注意を喚起し得る目立つ表示をすることができ、箸を使用する際に必ず箸袋から取り出されるものであるから短冊状紙片に表示された情報が有効に利用され易いという効果を奏することができる。
【図面の簡単な説明】
【００１６】
【図１】本考案に係る箸袋に挿着する情報媒体の一実施形態を示す説明図である。
【図２】本考案に係る箸袋に挿着する情報媒体の他の実施形態を示す説明図である。
【図３】三つ折り状態とした短冊状紙片の一例を示す斜視図である。
【考案を実施するための形態】
【００１７】  以下、本考案の具体的構成を図示の実施例に基づき説明する。  図中１は情報媒体となる短冊状紙片であり、２は当該短冊状紙片１の一端部に突出させた膨出部である。膨出部２を除いた短冊状紙片１の幅方向寸法は、箸袋本体３内にスムーズに挿着できる大きさに形成してあると共に、長手方向寸法は、箸袋本体３の底部４から開口部５までの長さと同等か、あるいはそれより幾分短くなるように形成することができる。
【００１８】  短冊状紙片１は、図１に示すように、折線を持たない一枚のフラットな紙片で構成するようにしてもよいし、情報量が多い場合には、図２に示すように、二つ折り、あるいは、図３に示す実施形態のように三つ折り状に形成することも可能である。
【００１９】  短冊状紙片１の一端部に突出させる膨出部２は、一般顧客あるいは消費者の注目を集めるためのものであり、図示の実施形態の場合、単純な円形状となっているが、これをキャラクターの形状等任意の形状とすることができるのは勿論である。
【００２０】  なお、短冊状紙片１の長手方向長さを、箸袋本体３の底部４から開口部５までの長さより短くした場合には、膨出部２が箸袋本体３内に引き込まれるおそれがあるため、図１に示すように、膨出部２の大きさを箸袋本体３の開口部５に係合し得る程度の大きさに形成するものである。
【００２１】  これに対し、短冊状紙片１の長手方向寸法を、箸袋本体３の底部４から開口部５までの長さと同等に形成した場合は、膨出部２が箸袋本体３内に引き込まれるおそれはないから、膨出部２の大きさを、必ずしも箸袋本体３の開口部５に係合し得る程度の大きさに形成する必要はない。
【００２２】  図示の実施形態においては、注目度を高めるための表示の一例として、膨出部２に「当たる！」の表示をしているが、これ以外にも任意の表示を行うことができるのは勿論であり、当該表示の変更によって本件の技術的範囲に影響を与えるものではない。
【００２３】  短冊状紙片１の表裏両面あるいは少なくとも表裏いずれか一方の面には、商品あるいはサービスについての宣伝広告や運勢・占い・ＱＲコードのような各種情報のほか、店舗案内、クーポン券、景品と交換可能な当たりくじ等を表示すると効果的である。前記したように、短冊状紙片１を、二つ折り、あるいは、三つ折り状に形成した場合には情報量を大きくすることができ、興趣に富んだ各種ゲーム類を表示することもできる。
【００２４】  短冊状紙片１を箸袋本体３内にセットするに当たっては、図２に示すように、箸袋本体３の開口部５から箸６に沿わせるようにして挿着するだけであり、その作業に何らの困難を伴うものではない。
【００２５】  本考案に係る箸袋に挿着する情報媒体は以上のような構成からなるものであり、箸袋本体３の開口部５から短冊状紙片１の膨出部２が突出した状態となっているものであるから、消費者等の注意を惹くことができ、短冊状紙片１に表示してある各種情報に対するアクセス率が向上する。
【００２６】  また、短冊状紙片１の一端部に箸袋本体３の開口部５に係合し得る程度の大きさをもった膨出部２を形成した場合には、仮に短冊状紙片１の長手方向長さが箸袋本体３の底部４から開口部５までの長さより短かったとしても、膨出部２が箸袋本体３内に引き込まれるのを防ぐことができ、常に膨出部２を開口部５から突出させることができるものである。
【符号の説明】
【００２７】  １：短冊状紙片  ２：膨出部  ３：箸袋本体  ４：底部  ５：開口部  ６：箸
【図１】
0003169023.tif 000003
【図２】
0003169023.tif 000004
【図３】
0003169023.tif 000005